(57)【要約】  【課題】押出し成形によって、部品点数を増やすことなく、組み立て性及び伝熱性に優れ、かつ必要な強度を確保することができる電子部品用筐体を提供する。  【解決手段】金属材料を用いて押出し成形により形成されたデジタルカメラ筐体１の内部には、光学系収納部１１、電子部品収納部１２、断熱層１３などが形成される。光学系収納部１１の内側には、撮像素子５１が断熱部材２１を介して接触しており、撮像素子５１で発生する熱がデジタルカメラ筐体１に伝達される。また、電子部品収納部１２の内部には、電子部品６１が断熱部材２２を介して接触しており、電子部品６１で発生する熱がデジタルカメラ筐体１に伝達される。光学系収納部１１と電子部品収納部１２との間に断熱層１３が形成される。これにより、光学系収納部１１又は電子部品収納部１２で発生した熱は、断熱層１３で遮断され、他の収納部へ直接伝達されない。【選択図】  図２
2009086346.tif 000002
【特許請求の範囲】
【請求項１】
押出し成形により筒状に形成された金属製の電子機器用筐体であって、
前記筒状の筐体の内部を仕切る仕切り壁が押し出し成形により形成され、前記電子機器の内容物を収納する２以上の収納部を有することを特徴とする電子機器用筐体。
【請求項２】
前記仕切り壁により仕切られた２つの収納部の間に、前記仕切り壁により断熱層としての空間が形成されていることを特徴とする請求項１に記載の電子機器用筐体。
【請求項３】
前記空間に断熱シートが挿入されていることを特徴とする請求項２に記載の電子機器用筐体。
【請求項４】
前記筐体の押し出し成形後、前記筐体の外装部に撮影レンズユニットの挿入孔を、前記筐体の外装部及び前記仕切り壁のうちの少なくとも一方に前記撮影レンズユニットの取付孔を、二次機械加工により形成したことを特徴とする請求項１から３のいずれかに記載の電子機器用筐体。
【請求項５】
前記撮影レンズユニットは撮像素子を含み、
前記撮像素子は、請求項４に記載の電子機器用筐体への前記レンズユニットの位置決め固定時に、直接又は伝熱部材を介して前記仕切り壁に当接すること
を特徴とする撮像装置。
【請求項６】
請求項１から４のいずれかに記載の電子機器用筐体の前記仕切り壁により仕切られた２つの収納部のうちの一方の収納部に撮影レンズユニットを配設し、他方の収納部に基板を配設したことを特徴とする撮像装置。
【請求項７】
前記基板は、前記他方の収納部の内部に形成された左右又は上下の溝に案内されて該他の収納部に収納され、前記筐体に設けられた固定手段によって固定されることを特徴とする請求項６に記載の撮像装置。
【請求項８】
前記基板には電子部品が実装されており、
前記電子部品は、前記固定手段による固定時に直接又は伝熱部材を介して前記外装部及び前記仕切り壁のうちの少なくとも一方に当接すること
を特徴とする請求項６又は７に記載の撮像装置。
【請求項９】
前記基板には、基準電位用のパターンが形成され、
前記基準電位用のパターンは、前記固定手段による固定時に前記外装部及び前記仕切り壁のうちの少なくとも一方に当接すること
を特徴とする請求項６から８のいずれかに記載の撮像装置。
【請求項１０】
逆挿入防止形状を備えた電池が収納される略Ｌ字形状の収納部を更に備えたことを特徴とする請求項５から９のいずれかに記載の撮像装置。
【発明の詳細な説明】
【技術分野】
【０００１】
本発明は電子機器用筐体及び撮像装置に係り、特に押出し成形により形成された電子機器用筐体及び撮像装置に関する。
【背景技術】
【０００２】
押出し成形により作成された部材を用いた筐体として、以下のような技術が開示されている。
【０００３】
特許文献１には、押出し成形部材と、プレス成形部材とで箱状に形成した筐体が提案されている。
【０００４】
特許文献２には、筒状に形成された部材の両端にパッキングを介して端板を取り付けた筐体が提案されている。
【０００５】
特許文献３には、押出し成形により形成された筒状の部材の内部に、部品を組み込んだ複数の部材を挿入嵌合する筐体が提案されている。
【特許文献１】特開２００５―４５０２５号公報
【特許文献２】特開平５―２４３７５１号公報
【特許文献３】特開平９―２７６８２号公報
【発明の開示】
【発明が解決しようとする課題】
【０００６】
特許文献１に記載の筐体は、押出し成形により形成されているが、板状の部材を組み合わせることで箱状の筐体としているため、組み立て性が悪いという問題がある。また、部材同士のつなぎ目が外部から見えてしまい、デザイン性に欠けるという問題がある。
【０００７】
また、特許文献２に記載の筐体は、筒状の部材の内部に矩形状の空洞が１個だけ形成された構造であるため、内部に部品を組み込むには、部品が組み込まれた部材を更に組み立てなくてはならず、組み立て性が悪いという問題がある。
【０００８】
また、特許文献３に記載の筐体は、押出し成形された筒状の部材の内部に、部品を組み込んだ複数の部材を組み込むものであり、特許文献２に記載の筐体と同じく組み立て性が悪いという問題がある。
【０００９】
本発明はこのような事情に鑑みてなされたもので、押出し成形によって、部品点数を増やすことなく、組み立て性及び伝熱性に優れ、かつ必要な強度を確保することができる電子機器用筐体を提供することを目的とする。
【課題を解決するための手段】
【００１０】
前記目的を達成するために、請求項１に記載の電子機器用筐体は、押出し成形により筒状に形成された金属製の電子機器用筐体であって、前記筒状の筐体の内部を仕切る仕切り壁が押し出し成形により形成され、前記電子機器の内容物を収納する２以上の収納部を有することを特徴とする。
【００１１】
請求項１に記載の電子機器用筐体によれば、筒状の筐体の内部を仕切る仕切り壁により電子機器の内容物を収納する２以上の収納部が形成された筒状の金属製の電子機器用筐体が、押出し成形により形成される。これにより、それぞれ別の内容物が収納される複数の収納部を有する筐体を、複数の部品を組み立てることなく、１度の成形で形成することができ、組立工程の工程数を減らすことができる。また、１部品で形成されることにより、部品同士を組み立てることにより発生する隙間をなくし、筐体強度やデザイン性を向上させ、かつ製造コストを低減させることができる。
【００１２】
請求項２に記載の電子機器用筐体は、請求項１に記載の電子機器用筐体において、前記仕切り壁により仕切られた２つの収納部の間に、前記仕切り壁により断熱層としての空間が形成されていることを特徴とする。
【００１３】
請求項２に記載の電子機器用筐体によれば、仕切り壁により形成された断熱層としての空間が、仕切り壁により仕切られた２つの収納部の間に形成される。これにより、撮像素子やＩＣなどの電子部品で発生する熱が、他の収納部に収納されている部品に影響しづらい構成にすることができる。また、撮像素子やＩＣなどの電子部品で発生する熱が他の電子部品へ直接伝達されないため、他の電子部品で発生する熱によって、撮像素子やＩＣなどの電子部品に不具合が発生することを防ぐことができる。
【００１４】
請求項３に記載の電子機器用筐体は、請求項２に記載の電子機器用筐体において、前記空間に断熱シートが挿入されていることを特徴とする。
【００１５】
請求項３に記載の電子機器用筐体によれば、仕切り壁により形成された断熱層としての空間に断熱シートが挿入されている。これにより、断熱効果を更に向上させ、熱による影響をさらに減らすことができる。
【００１６】
請求項４に記載の電子機器用筐体は、請求項１から３のいずれかに記載の電子機器用筐体において、前記筐体の押し出し成形後、前記筐体の外装部に撮影レンズユニットの挿入孔を、前記筐体の外装部及び前記仕切り壁のうちの少なくとも一方に前記撮影レンズユニットの取付孔を、二次機械加工により形成したことを特徴とする。
【００１７】
請求項４に記載の電子機器用筐体によれば、筐体の押出し成形後に、筐体の外装部に撮影レンズユニットの挿入孔を二次機械加工により形成し、かつ筐体の外装部及び前記仕切り壁のうちの少なくとも一方に撮影レンズユニットの取付孔を二次機械加工により形成する。これにより、レンズユニットを筐体への取り付けることができる。また、外装部及び仕切り壁に取り付け孔を形成することで、レンズユニットの筐体への取り付け精度を上げることができ、かつ取り付け部の落下衝撃に対する強度を向上させることができる。
【００１８】
請求項５に記載の撮像装置は、前記撮影レンズユニットは撮像素子を含み、前記撮像素子は、請求項４に記載の電子機器用筐体への前記レンズユニットの位置決め固定時に、直接又は伝熱部材を介して前記仕切り壁に当接することを特徴とする。
【００１９】
請求項５に記載の撮像装置によれば、レンズユニットの位置決め固定時に、直接又は伝熱部材を介して撮像素子が仕切り壁に当接するように、レンズユニットが取り付けられる。これにより、撮像素子で発生する熱を効率よく放熱することができる。
【００２０】
請求項６に記載の撮像装置は、請求項１から４のいずれかに記載の電子機器用筐体の前記仕切り壁により仕切られた２つの収納部のうちの一方の収納部に撮影レンズユニットを配設し、他方の収納部に基板を配設したことを特徴とする。
【００２１】
請求項７に記載の撮像装置は、請求項６に記載の撮像装置において、前記基板は、前記他方の収納部の内部に形成された左右又は上下の溝に案内されて該他の収納部に収納され、前記筐体に設けられた固定手段によって固定されることを特徴とする。
【００２２】
請求項７に記載の撮像装置によれば、基板を左右又は上下方向の溝に案内されて収納されることで、収納部に位置決めされて筐体に固定される。これにより、基板の取り付けに必要な部品点数を減らすことができる。
【００２３】
請求項８に記載の撮像装置は、請求項６又は７に記載の撮像装置において、前記基板には電子部品が実装されており、前記電子部品は、前記固定手段による固定時に直接又は伝熱部材を介して前記外装部及び前記仕切り壁のうちの少なくとも一方に当接することを特徴とする。
【００２４】
請求項８に記載の撮像装置によれば、基板に実装された電子部品が直接又は伝熱部材を介して外装部及び仕切り壁のうちの少なくとも一方に当接するように、固定手段により基板が筐体に固定される。これにより、電子部品で発生する熱を効率よく放熱することができる。
【００２５】
請求項９に記載の撮像装置は、請求項６から８のいずれかに記載の撮像装置において、前記基板には、基準電位用のパターンが形成され、前記基準電位用のパターンは、前記固定手段による固定時に前記外装部及び前記仕切り壁のうちの少なくとも一方に当接することを特徴とする。
【００２６】
請求項９に記載の撮像装置によれば、基板に形成された基準電位用のパターンが外装部及び仕切り壁のうちの少なくとも一方に当接するように、固定手段により基板が筐体に固定される。これにより、筐体をグランドとして使用することができ、静電気に対する強度を向上させることができる。
【００２７】
請求項１０に記載の撮像装置は、請求項５から９のいずれかに記載の撮像装置において、逆挿入防止形状を備えた電池が収納される略Ｌ字形状の収納部を更に備えたことを特徴とする。
【００２８】
請求項１０に記載の撮像装置によれば、電池収納部として用いられる略Ｌ字形状の収納部が形成される。これにより、加工工程や組立工程の工程数を増やすことなく、また部品点数を増やすことなく、逆挿入防止の効果を有する電池収納部を形成することができる。また、略Ｌ字形状により、電池の逆挿入を防止することができる。
【発明の効果】
【００２９】
本発明によれば、押出し成形によって、部品点数を増やすことなく、組み立て性及び伝熱性に優れ、かつ必要な強度を確保することができる電子機器用筐体を提供することができる。
【発明を実施するための最良の形態】
【００３０】
＜第１の実施の形態＞
図１（ａ）は、本発明の第１の実施の形態に係るデジタルカメラ筐体１を用いたデジタルカメラ１０の斜視図であり、（ｂ）は、デジタルカメラ筐体１の斜視図である。図２は、デジタルカメラ筐体１を用いたデジタルカメラ１０の要部断面図である。
【００３１】
デジタルカメラ１０は、主として、デジタルカメラ筐体１と、上板２と、下板３と、ストラップ取付部材４と、レンズ鏡胴５とで構成される。
【００３２】
デジタルカメラ筐体１は、アルミニウム合金で形成されており、筐体の上下方向への押出し（上下押出し）により押出し成形により成形される。デジタルカメラ筐体１に用いるアルミニウム合金としては、強度、成形性、コストなどを考慮し、押出性に優れ、耐食性、表面処理性も良好なＡｌ−Ｍｇ−Ｓｉ系のＡ６０６３、Ａｌ−Ｍｎ系のＡ３００３、Ａ３００４などを使用することができる。なお、デジタルカメラ筐体１の材料として、マグネシウム合金、ステンレスなどの様々な金属材料を用いることができる。
【００３３】
ストラップ取付部材４は、デジタルカメラ筐体１と同じ長さの略Ｔ字形状の部分４ａと、略Ｔ字形状の部分４ａより長さの短いストラップを通す孔の部分４ｂとで構成される。
【００３４】
レンズ鏡胴５は、内部には主としてレンズ群が配設され、背面には撮像素子５１が配設される。撮像素子５１の背面には図示しないフレキシブル基板が配設され、デジタルカメラ筐体１の上面または下面の断面を介して基板６と接続される。これにより、撮像素子５１で取得された画像データは、基板６に実装されたＣＰＵへと伝えられる。
【００３５】
基板６は、ＩＣなどの電子部品が実装されており、少なくとも基板６の前面側の電子部品収納部１２と接触する領域には、露出されたグランドパターン（基準電位用のパターン）が形成される。なお、グランドパターンは、その面積が最大限広くなるように形成される。また、基板６には、基板６をデジタルカメラ筐体１に取り付けるネジが貫通する孔が形成される。
【００３６】
押出し成形によりデジタルカメラ筐体１の内部に形成された貫通孔（詳細は後述）にストラップ取付部材４、レンズ鏡胴５、基板６などの部品を取り付けた後で、上板２と下板３とをデジタルカメラ筐体１に取り付けることで、デジタルカメラ１０が組み立てられる。
【００３７】
［デジタルカメラ筐体１の構造について］
デジタルカメラ筐体１は、ユーザーが把持するための凸形状が前面側の一部に設けられた略矩形状の筒状の部材である。デジタルカメラ筐体１の内部には、上下押し出しにより形成される貫通孔である光学系収納部１１、電子部品収納部１２、断熱層１３及び電池収納部１７が形成される。また、デジタルカメラ筐体１の外縁には、押出し成形により形成されたアンダーカット形状のストラップ取付部材用の凹部１４、レンズ鏡胴取付部１５、基板取付部１６などが形成される。
【００３８】
光学系収納部１１は、デジタルカメラ筐体１の前面側に設けられた略矩形状の貫通孔であり、押出し成形によりデジタルカメラ筐体１の外形を形成するのと同時に形成される。光学系収納部１１の内部には、光学系収納部１１の前面側に設けられたレンズ鏡胴取付部１５を介してレンズ鏡胴５が取り付けられる。
【００３９】
電子部品収納部１２は、デジタルカメラ筐体１の背面側に設けられ、左右方向に凸部を有する略矩形状の貫通孔であり、押出し成形によりデジタルカメラ筐体１の外形を形成するのと同時に形成される。電子部品収納部１２の内部には、電子部品収納部１２の背面側に設けられた基板取付部１６を介して、ＩＣなどの電子部品が実装された基板６が収納される。なお、電子部品収納部１２の左右に設けられた凸部１２ａは、基板６の左右方向の位置決め部として使用される。
【００４０】
断熱層１３は、デジタルカメラ筐体１の中央部であって、光学系収納部１１と電子部品収納部１２との間に形成された略矩形状の貫通孔であり、押出し成形によりデジタルカメラ筐体１の外形を形成するのと同時に形成される。断熱層１３は、光学系収納部１１と電子部品収納部１２とが隣接する箇所が無いように形成される。これにより、光学系収納部１１又は電子部品収納部１２で発生した熱は、断熱層１３で遮断され、他の収納部へ直接伝達されない。
【００４１】
ストラップ取付部材用の凹部１４は、デジタルカメラ筐体１の外縁に形成された略Ｔ字形状の凹部であり、押出し成形によりデジタルカメラ筐体１の外形を形成するのと同時に形成される。
【００４２】
レンズ鏡胴取付部１５は、デジタルカメラ筐体１の光学系収納部１１の前面側の壁に後加工により形成され、レンズ鏡胴５の最大径より大きい直径を有する孔１５ａと、孔１５ａの周囲に形成され、レンズ鏡胴５をデジタルカメラ筐体１へ固定するときに用いる４個のネジ孔１５ｂとで構成される。なお、ネジ孔１５ｂの数は、３個以上であればよく、４個に限定されるものではない。
【００４３】
基板取付部１６は、後加工により形成され、電子部品収納部１２の背面側の壁に形成された４個の孔１６ａと、孔１６ａと一体に形成され、電子部品収納部１２の前面側の壁（電子部品収納部１２と断熱層１３と間の壁）に形成された４個のネジ穴１６ｂとで構成される。なお、孔１６ａ及びネジ穴１６ｂの数は、ネジ孔１５ｂと同様、４個に限定されるものではない。
【００４４】
電池収納部１７は、デジタルカメラ筐体１の前面の凸部の内側に設けられた略Ｌ字形状の貫通孔であり、押出し成形によりデジタルカメラ筐体１の外形を形成するのと同時に形成される。電池収納部１７と略同一の略Ｌ字形状の電池７は、所定の方向で内部に挿入可能であるが、逆方向では内部に挿入できない。これにより、電池の逆挿入が防止される。
【００４５】
［デジタルカメラ筐体１の製造方法について］
まず、押出し機（図示せず）を用いて、アルミニウム合金をダイ（図示せず）から押し出すことによって、図１（ｂ）に示す断面形状を有する中空の筒状の棒材を成形する。そのようにして得られた略矩形の中空の筒状の棒材を丸鋸等で所定の長さに切断することにより、光学系収納部１１、電子部品収納部１２、断熱層１３、ストラップ取付部材用の凹部１４及び電池収納部１７が設けられたデジタルカメラ筐体１を形成する。
【００４６】
次に、機械加工により、デジタルカメラ筐体１の前面にレンズ鏡胴取付部１５を形成する。押出し成形により形成されたデジタルカメラ筐体１を、前面を上にしてマシニングセンタ等に設置して、前面側から穴あけ加工を行う。その後、バリ取り、ねじ切り加工（ネジ孔１５ｂ）などを行って、レンズ鏡胴取付部１５を形成する。
【００４７】
最後に、機械加工により、デジタルカメラ筐体１の背面に基板取付部１６を形成する。押出し成形により形成されたデジタルカメラ筐体１を、背面を上にしてマシニングセンタ等に設置して、背面側から穴あけ加工及びねじ切り加工を行う。その後、バリ取りなどを行って、孔１６ａ及びネジ穴１６ｂを形成する。
【００４８】
［デジタルカメラ筐体１の各収納部への部品の取り付けについて］
図２を用いて、光学系収納部１１、電子部品収納部１２及びストラップ取付部材用の凹部１４への部品の取り付けについて説明する。
【００４９】
（光学系収納部１１へのレンズ鏡胴５の取り付け）
取付部材５２が外縁に取り付けられたレンズ鏡胴５を、レンズ鏡胴取付部１５の孔１５ａに貫通させる。そして、撮像素子５１及びその背面に配設されたフレキシブル基板（図示せず）と光学系収納部１１の背面側の壁とが、伝熱部材２１を介して接触するように、ネジ５３を取付部材５２の孔に挿通し、ネジ孔１５ｂに螺嵌する。これにより、レンズ鏡胴５がデジタルカメラ筐体１へ取り付けられる。
【００５０】
撮像素子５１で発生した熱は、伝熱部材２１を介して直接デジタルカメラ筐体１に伝達される。デジタルカメラ筐体１に伝達された熱は、デジタルカメラ筐体１の内部を伝わり、デジタルカメラ筐体１の外部へと放熱される（図２矢印参照）。また、光学系収納部１１に隣接して断熱層１３が設けられているため、デジタルカメラ筐体１に伝達された熱は断熱層１３で遮られ、電子部品収納部１２の内部に接触して配設されている基板６に直接伝達されない。これにより、撮像素子５１で発生した熱が基板６に実測されている電子部品などに与える影響を減らすことができる。
【００５１】
（電子部品収納部１２への基板６の取り付け）
基板６の左右両端の一部には凸部（図示せず）が設けられ、基板６の凸部と電子部品収納部１２の凸部１２ａとが接触するような寸法関係で、基板６及び電子部品収納部１２が形成されている。電子部品収納部１２の凸部１２ａと基板６とが接触するように、基板６を電子部品収納部１２に挿入することにより基板６を左右方向に位置決めした状態で、ネジ６２を基板６の孔と基板取付部１６の孔１６ａとに挿通し、ネジ孔１６ｂに螺嵌することにより、基板６が電子部品収納部１２の内部へ取り付けられる。
【００５２】
基板６の背面に弾性体を配設し、基板６の前面側に設けられたグランドパターンと、電子部品収納部１２とが所定の圧力以上の接触圧をもって接触するように、基板６がネジ止めされる。これにより、金属製のデジタルカメラ筐体１をグランドとして使用することができ、静電気に対する強度を向上させることができる。
【００５３】
また、基板６に実装された所望の電子部品６１と、電子部品収納部１２の背面側の壁とが、伝熱部材２２を介して接触するように、基板６がネジ止めされる。電子部品６で発生した熱は、伝熱部材２２を介して直接デジタルカメラ筐体１に伝達される。デジタルカメラ筐体１に伝達された熱は、デジタルカメラ筐体１の内部を伝わり、デジタルカメラ筐体１の外部へと放熱される（図２矢印参照）。また、電子部品収納部１２に隣接して断熱層１３が設けられているため、デジタルカメラ筐体１に伝達された熱は断熱層１３で遮られ、光学系収納部１１に接触して配設されている撮像素子５１に直接伝達されない。これにより、基板６に実測されている電子部品で発生した熱が撮像素子５１に与える影響を減らすことができる。
【００５４】
（ストラップ取付部材用の凹部１４へのストラップ取付部材４の取り付け）
ストラップ取付部材４の略Ｔ字形状の部分４ａをストラップ取付部材用の凹部１４に挿入する。上板２及び下板３でストラップ取付部材４を挟み込むことで、ストラップを通す孔の部分４ｂのみがデジタルカメラ筐体１の外部に露出する。
【００５５】
本実施の形態によれば、内部に複数の収納部を有するデジタルカメラ筐体を１度の成形により形成することができるため、部品の製造コスト及び組立工程の工程数を減らすことができる。また、デジタルカメラ筐体が１部品で形成されることにより、部品同士を組み立てることにより側面などに発生する隙間をなくし、筐体強度やデザイン性を向上させることができる。
【００５６】
なお、本実施の形態では、断熱層１３により光学系収納部１１と電子部品収納部１２との間に空気の層を設けることで、光学系収納部１１から電子部品収納部１２への熱の流れ及び電子部品収納部１２から光学系収納部１１への熱の流れを遮断したが、断熱層１３に断熱シートを挿入することにより、断熱層１３の断熱効果を更に向上させ、熱による影響をさらに減らすことができる。
【００５７】
また、本実施の形態では、基板６の背面側の電子部品と電子部品収納部１２との間に１箇所だけ伝熱部材を挟んだが、基板６に力が加わることにより電子部品等に不具合が発生しない範囲であれば、複数の伝熱部材を用いてもよいし、基板の両側全面に伝熱部材を用いてもよい。
【００５８】
また、本実施の形態では、押出し成形により形成された本体部をそのまま用いてデジタルカメラ筐体を作成したが、様々なデザインに対応したり、放熱効果を高めたりするために、外縁に樹脂塗装などの二次加工を行なってもよい。
【００５９】
また、本実施の形態では、光学系収納部１１と電子部品収納部１２とが分離した断面形状のデジタルカメラ筐体を用いたが、図３に示すように、光学系収納部１１と電子部品収納部１２とが一部連結されていてもよい。これにより、撮像素子５１と基板６とをフレキシブル基板８で接続しやすくなり、組み立ても容易となる。
【００６０】
また、本実施の形態では、光学系収納部１１と電子部品収納部１２とが分離され、光学系収納部１１と電子部品収納部１２との間に断熱層１３が形成されているが、断熱層１３は形成されていなくてもよい。また、光学系収納部１１と電子部品収納部１２とを仕切る仕切り壁により、光学系収納部１１と電子部品収納部１２とが完全に分離されていてもよいし、図４に示すようにその一端がデジタルカメラ筐体の外壁と連結されていてもよい。この場合には、レンズ鏡胴５が取り付けられた仕切り壁がたわむことで、落下などの衝撃に強くすることができる。
【００６１】
また、本実施の形態では、デジタルカメラ筐体が上下押出しにより形成されたが、押出し方向はこれに限らない。左右方向に押出しされた場合には、基板６は電子部品収納部１２に対して上下方向に位置決めされる。
【００６２】
＜第２の実施の形態＞
第２の実施の形態は、レンズ鏡胴の取り付け方が第１の実施の形態と異なるもので、装飾リングを用いる形態である。
【００６３】
図５は、第２の実施の形態のデジタルカメラ筐体１’の部分断面図である。なお、第１の実施の形態と同一の部分については、同一の符号を付し、説明を省略する。
【００６４】
［デジタルカメラ筐体１’の構造について］
レンズ鏡胴取付部１５’は、光学系収納部１１の前面側の壁に後加工により形成され、レンズ鏡胴５’の最大径より大きい直径を有する孔１５ａ’と、光学系収納部１１の背面側の壁に後加工により形成され、レンズ鏡胴５をデジタルカメラ筐体１’へ固定するときに用いる４個のネジ孔１５ｂ’とで構成される。なお、ネジ孔１５ｂ’の数は、３個以上であればよく、４個に限定されるものではない。
【００６５】
［デジタルカメラ筐体１’の各収納部への部品の取り付けについて］
（光学系収納部１１へのレンズ鏡胴５’の取り付け）
取付部材５３が外縁に取り付けられたレンズ鏡胴５’を、レンズ鏡胴取付部１５’の孔１５ａ’に貫通させる。撮像素子５１及びその背面に配設されたフレキシブル基板８と光学系収納部１１の背面側の壁とが、伝熱部材２１を介して接触するように、ネジ５４を取付部材５３の孔に挿通し、ネジ孔１５ｂ’に螺嵌する。これにより、レンズ鏡胴５’がデジタルカメラ筐体１’へ取り付けられる。また、撮像素子５１で発生した熱は、効率よくデジタルカメラ筐体１’に伝達される。
【００６６】
次に、装飾リング５５をデジタルカメラ筐体１’に装着する。装飾リング５５は、孔１５ａ’に嵌通する装着部５５ａと、装着時に孔１５ａ’を覆う装飾部５５ｂとで構成される。また、装飾リング５５の中央には、レンズ鏡胴５’を挿入可能な孔が形成される。装飾リングの中央に形成された孔にレンズ鏡胴５’を嵌通させ、装着部５５ａを孔１５ａ’に嵌通させ、図示しないスナップフィットなどを用いて装飾リング５５をデジタルカメラ筐体１’に装着する。
【００６７】
本実施の形態によれば、装着リングによりレンズ鏡胴の取り付けに用いたネジが目隠しされるため、撮像素子で発生した熱を効率よく除去しつつ、デザイン性を向上させることができる。
【００６８】
＜第３の実施の形態＞
第３の実施の形態は、レンズ鏡胴の取り付け方が第１の実施の形態及び第２の実施の形態と異なるもので、第１の実施の形態に比べてレンズ鏡胴の取付精度及び取付強度を向上させる形態である。
【００６９】
図６（ａ）は、第３の実施の形態のデジタルカメラ筐体１’’の部分断面図であり、（ｂ）はレンズ鏡胴取付部１５’’の正面図であり、（ｃ）はレンズ鏡胴５’’の正面図である。なお、第１の実施の形態と同一の部分については、同一の符号を付し、説明を省略する。
【００７０】
［デジタルカメラ筐体１’’の構造について］
レンズ鏡胴取付部１５’’は、後加工により形成され、レンズ鏡胴５’’の本体部が嵌通可能な孔１５ａ’’と、レンズ鏡胴５’’をデジタルカメラ筐体１’’へ固定するときに用いるネジ孔１５ｂ’’及び１５ｃ’’とで構成される。
【００７１】
孔１５ａ’’は、光学系収納部１１の前面側の壁に形成され、図６（ｂ）に示すように、レンズ鏡胴５’’の最大径より大きい直径を有する孔１５ａ’’−１と、孔１５ａ’’−１と一体形成され、孔１５ａ’’−１の外周上に均等に配置された４個の凸形状の孔１５ａ’’−２とで構成される。
【００７２】
孔１５ｂ’’は、光学系収納部１１の前面側の壁に後加工により形成された４個のネジ孔であり、デジタルカメラ筐体１’’の前面から見て孔１５ａ’’−２に対して所定の角度だけずれた位置に形成される。
【００７３】
孔１５ｃ’’は、光学系収納部１１の背面側の壁に後加工により形成された４個のネジ孔であり、デジタルカメラ筐体１’’の前面から見て孔１５ａ’’−２と同じ位置に形成される。
【００７４】
なお、ネジ孔１５ｂ’’、１５ｃ’’の数は、３個以上であればよく、４個に限定されるものではない。
【００７５】
［デジタルカメラ筐体１’’の各収納部への部品の取り付けについて］
（光学系収納部１１へのレンズ鏡胴５’’の取り付け）
まず、レンズ鏡胴５’’をデジタルカメラ筐体１’’に取り付ける時に、取り付けリング５６が光学系収納部１１の背面側の壁の前面に位置し、取り付けリング５７が光学系収納部１１の前面側の壁の前面に位置するように、レンズ鏡胴５’’に取り付けリング５６、５７が配設される。
【００７６】
次に、取り付けリング５６を孔１５ａ’’−２に貫通させ、レンズ鏡胴５’’を孔１５ａ’’−１に貫通させる。ネジ５７を取り付けリング５６の孔に挿通し、ネジ孔１５ｂ’’に螺嵌する。また、ネジ５７を取り付けリング５７の孔に挿通し、ネジ孔１５ｃ’’に螺嵌する。  
【００７７】
最後に、装飾リング５５をデジタルカメラ筐体１’に装着する。装飾リング５９の中央に形成された孔にレンズ鏡胴５’’を嵌通させ、図示しないスナップフィットなどを用いて装飾リング５９をデジタルカメラ筐体１’に装着する。
【００７８】
本実施の形態によれば、装着リングによりレンズ鏡胴の取り付けに用いたネジが目隠しされるため、撮像素子で発生した熱を効率よく除去しつつ、デザイン性を向上させることができる。また、レンズ鏡胴の軸方向に２箇所の取付部を設けたため、レンズ鏡胴の傾き方向の取り付け精度を上げることができる。また、複数個所で取り付けることにより、レンズ鏡胴５’’の取り付け強度を向上させ、落下などの衝撃に強くすることができる。
【００７９】
＜第４の実施の形態＞
第４の実施の形態は、電子部品収納部の形状が第１の実施の形態と異なるもので、熱除去の効果を更に向上させることを目的とするものである。
【００８０】
図７は、第４の実施の形態のデジタルカメラ筐体１’’’の部分断面図であり、図８は第４の実施の形態の電子部品収納部１２’の内部に収納する基板６’の斜視図である。なお、第１の実施の形態と同一の部分については、同一の符号を付し、説明を省略する。
【００８１】
［デジタルカメラ筐体１’’’の構造について］
電子部品収納部１２’は、デジタルカメラ筐体１’’’の背面側に設けられ、左右方向に凸部を有する貫通孔であり、押出し成形によりデジタルカメラ筐体１’’’の外形を形成するのと同時に形成される。電子部品収納部１２’の内部には、電子部品収納部１２の背面側に設けられた基板取付部１６を介して、図８に示すように上下方向に直線状に電子部品が実装された基板６’が収納される。なお、電子部品収納部１２’の左右に設けられた凸部１２ａ’は、基板６’の左右方向の位置決め部として使用される。
【００８２】
電子部品収納部１２’の前面側及び背面側の壁には、内部に挿入する基板６’の形状に合わせて肉が盛られ、電子部品収納部１２’の形状は部分的に凹部が形成される。これにより、デジタルカメラ筐体１’’’の体積を増やし、熱容量を大きくすることができる。また、デジタルカメラ筐体１’’’の強度を増すことができる。また、内部に肉を盛らない場合と比較して、同じ熱容量を保ちつつ、デジタルカメラ筐体１’’’を小型化することができる。
【００８３】
基板６’の左右両端の一部には凸部（図示せず）が設けられ、基板６’の凸部と電子部品収納部１２’の凸部１２ａ’とが接触するような寸法関係で、基板６’及び電子部品収納部１２’が形成されている。
【００８４】
（電子部品収納部１２’への基板６’の取り付け）
電子部品収納部１２’の凸部１２ａ’と基板６’とが接触するように、基板６’を電子部品収納部１２’に挿入する。基板６’が左右方向に位置決めされた状態で、ネジ６２を基板６’の孔と基板取付部１６の孔１６ａとに挿通し、ネジ孔１６ｂに螺嵌することにより、基板６’が電子部品収納部１２’の内部へ取り付けられる。
【００８５】
基板６’の背面に弾性体を配設し、基板６’の前面側に設けられたグランドパターンと、電子部品収納部１２’とが所定の圧力以上の接触圧をもって接触するように、基板６’がネジ止めされる。これにより、金属製のデジタルカメラ筐体１’’’をグランドとして使用することができ、静電気に対する強度を向上させることができる。
【００８６】
また、基板６’に実装された所望の電子部品６１と、電子部品収納部１２’の背面側の壁とが、伝熱部材２２を介して接触するように、基板６’がネジ止めされる。電子部品６１で発生した熱は、伝熱部材２２を介して直接デジタルカメラ筐体１’’’に伝達される。
【００８７】
本実施の形態では、基板６’のグランドパターンと電子部品収納部１２’とを広い面積で接触させるため、安定してグランドをとることができる。また、基板６’と電子部品収納部１２’とを広い面積で接触させることにより、より効率よく熱を除去することができる。
【００８８】
なお、本実施の形態では、基板６’のグランドパターンを前面側にのみ設けたが、基板６’のグランドパターンと電子部品収納部１２’との接触面積が広くなるほど良いため、組み立て性などの問題がなければ、基板６’の背面側にもグランドパターンを設け、電子部品収納部１２’と接触させるようにしてもよい。
【００８９】
また、本実施の形態では、不必要な空洞部をなくすように肉を盛ることで、デジタルカメラ筐体１’’’の断面積を増やし、熱容量を大きくすることができる。
【００９０】
なお、本発明は、デジタルカメラ筐体のみでなく、携帯電話、ＰＤＡ、音楽プレーヤーなどの様々な電子部品に適用することができる。また、本発明は、アルミニウム合金を用いて押出し成形を行ったが、アルミニウムに限らず、押出し成形が可能な様々な材料を用いることができる。例えば、マグネシウム合金などの金属材料を用いてもよいし、プラスチック材料を用いてもよい。
【００９１】
また、本発明では、筐体の形状が略矩形状の場合を例に説明したが、略矩形状に限らず、様々な形状を用いることができる。
【図面の簡単な説明】
【００９２】
【図１】（ａ）は、本発明が適用された第１の実施の形態のデジタルカメラ筐体１を用いたデジタルカメラ１０の斜視図であり、（ｂ）は、デジタルカメラ筐体１の斜視図である。
【図２】上記デジタルカメラ筐体１を用いたデジタルカメラ１０の要部断面図である。
【図３】第１の実施の形態の別の例である。
【図４】第１の実施の形態の別の例である。
【図５】本発明が適用された第２の実施の形態のデジタルカメラ筐体１’の要部断面図である。
【図６】（ａ）は、発明が適用された第３の実施の形態のデジタルカメラ筐体１’’の要部断面図であり、（ｂ）は要部前面図であり、（ｃ）は第３の実施の形態のレンズ鏡胴５’’の前面図である。
【図７】発明が適用された第４の実施の形態のデジタルカメラ筐体１’’’の要部断面図である。
【図８】第４の実施の形態の基板６’の斜視図である。
【符号の説明】
【００９３】
１、１’、１’’、１’’’：デジタルカメラ筐体、２：上板、３：下板、５：レンズ鏡胴、１１：光学系収納部、１２：電子部品収納部、１３：断熱層、１５：レンズ鏡胴取付部、１６：基板取付部、２１、２２：伝熱部材
【図１】
2009086346.tif 000003
【図２】
2009086346.tif 000004
【図３】
2009086346.tif 000005
【図４】
2009086346.tif 000006
【図５】
2009086346.tif 000007
【図６】
2009086346.tif 000008
【図７】
2009086346.tif 000009
【図８】
2009086346.tif 000010